(57)【要約】【課題】自動原稿搬送手段により搬送された搬送原稿の読み取り時に、バックアップ部材（読取ローラ等）の汚れ等の裏写りを補正することが可能な情報読取装置を提供する。【解決手段】原稿載置台１０４上に載置された原稿１０８を原稿読取光学系１０１が走査して読み取る第１の原稿読取モード時における第１のシェーディング補正係数を、原稿搬送手段１０３によって原稿１０８ａを搬送しつつ原稿読取光学系１０１が特定位置で停止した状態で搬送原稿１０８ａを読み取る第２の原稿読取モード時に読取ローラ１２５を読み取った値で補正した値を第２のシェーディング補正係数とし、この第２のシェーディング補正係数を用いて第２の原稿読取モード時におけるシェーディング補正処理を行うようにＣＰＵ１１７が制御する。【選択図】      図１
2004208061.tif 000002
【特許請求の範囲】
【請求項１】
原稿載置台上に載置された原稿を原稿読取光学系が走査して原稿の情報を読み取る第１の原稿読取モードと、原稿搬送手段によって原稿を搬送しつつ前記原稿読取光学系が特定位置で停止した状態で搬送原稿の情報を読み取る第２の原稿読取モードと、原稿を読み取る読取ローラ等のバックアップ部材とを有する情報読取装置において、
前記第１の原稿読取モードによる原稿読み取り時における第１のシェーディング補正係数を、前記第２の原稿読取モードによる原稿読み取り時に前記バックアップ部材を読み取った値で補正した値を第２のシェーディング補正係数とし、この第２のシェーディング補正係数を用いて前記第２の原稿読取モードによる原稿読み取り時におけるシェーディング補正処理を行うように制御する制御手段を有することを特徴とする情報読取装置。
【発明の詳細な説明】
【０００１】
【発明の属する技術分野】
本発明は、原稿の情報（画像）を読み取る複写装置等の情報読取装置に関する。
【０００２】
【従来の技術】
従来、原稿載置台上に載置された原稿を原稿読取光学系が走査して該原稿の画像を読み取る第１の原稿読取モードと、自動原稿搬送手段によって原稿を搬送しつつ前記原稿読取光学系が特定位置で停止した状態で前記搬送原稿の画像を読み取る第２の原稿読取モードと、前記原稿を読み取る読取ローラ等のバックアップ部材とを有する画像読取装置は公知である。
【０００３】
この種の画像読取装置においては、絶対白色レベルを定義しておく必要がある。この絶対白色レベルとは、真白な原稿を読んだ場合の光電変換素子の出力であって、主走査方向の１ライン分が読み取られたものであり、通常、シェーディング波形と呼ばれる。また、原稿を照射する露光ランプは、環境温度や点灯時間或いは累積使用時間によって出力が変化することから、これらの変化に伴いシェーディング波形も変化する。更に、前記露光ランプの長手方向（主走査方向）において光度が変化する。
【０００４】
このような露光ランプによって照射される原稿を読み取るに際しては、真白な面を読み取ったシェーディング波形を出力の最大値とみなし、読み取った画像信号に対してシェーディング波形を用いて補正（シェーディング補正と呼ばれる）を行って適正な画像信号を得ている。
【０００５】
このシェーディング補正を行うため、画像読取装置には基準となる白色反射面を有する基準白色板が設けられており、原稿を読み取るに際して、その都度この基準白色板を読み取り、その結果を画像信号処理系内に設けた記憶手段にシェーディング波形として記憶しておくものである。
【０００６】
図５は、原稿台ガラス（原稿載置台）の平面図であり、同図において、５０１は原稿を載置するための原稿台ガラスで、その読取開始端（位置Ａ）には、基準となる白色反射面を有する載置原稿読取モード用の基準白色板５０２が貼り付けてある。５０３は原稿、５０４は自動原稿搬送手段により搬送される搬送原稿の読取面である。
【０００７】
そして、前記第１の原稿読取モードにより、原稿台ガラス５０１の上に載置した原稿５０３を読み取る際には、読取開始に先立って位置Ａにおいて、基準白色板５０２を原稿幅相当分読み取り、シェーディング波形を前記記憶手段に記憶する。これに引続き原稿読取光学系が位置Ｂの方向へ移動して原稿面を走査し、原稿台ガラス５０１上に載置された原稿を終端まで読み取る。
【０００８】
また、前記第２の原稿読取モードにより、シート状の原稿を読み取る際には、原稿読取光学系は、まず、位置Ａにおいて基準白色板５０２を走査してシェーディング波形を読み取った後、図５の位置Ｃまで移動し、自動原稿搬送手段により搬送されて来るシート状の原稿(搬送原稿)を読み取っていた。
【０００９】
【発明が解決しようとする課題】
上述した従来の画像読取装置においては、読み取る原稿の裏面に、読取ローラ等のバックアップ部材がある場合に、この裏面の汚れ等が透けて、原稿の表面画像を読み取る際に、その画像の下地輝度を正確に判断することができず、読み取り画像を適切な濃度で表現することができなくなるという問題があった。
【００１０】
この様な原稿の裏面画像が表面に透けて見える現象を裏写りと称する。このような裏写りは、特に、原稿の厚さが薄い場合に発生する。そして、もし、下地輝度を誤検出すると、それを元に行っている濃度制御が不正確となり、文字が白く飛んで読めなくなる等の不具合が生じる。
【００１１】
一般的な複写機では、この様な裏写りを回避するために、ある一定濃度以下の画像を読み飛ばしてしまうことにより下地輝度を一定にし、且つ裏写り画像そのものを除去するものがある。
【００１２】
しかし、この様に一律に低濃度画像を読み飛ばす場合、濃度は低いが、本来必要な表面の画像も飛んでしまうという不具合があった。
【００１３】
そこで、このような不具合を解決した従来の装置として、例えば、特開平７−８７２９５号公報には、原稿の画像を読み取る面とその裏面の画像をも読み取り、読み取った裏面の画像データに一定比率を掛け合わせたものを裏面成分と仮定し、実際に画像を読み取る面の画像データからこれらを差し引くことにより読み取り面成分のみを抽出して、正確な下地濃度を得ている。
【００１４】
このような従来の画像読み取り装置においては、両面に画像を有する原稿を読み取る場合には有効であるが、片面搬送原稿を移動させながら読み取る読取手段により、読取ローラ等のバックアップ部材の汚れが原稿に透過した状態で、その原稿画像が読み取られる場合は、生産性が著しく低下するという不具合があった。
【００１５】
本発明は、上述した従来技術の有する問題点を解消するためになされたもので、その目的は、自動原稿搬送手段により搬送された搬送原稿の読み取り時に、バックアップ部材（読取ローラ等）の汚れ等の裏写りを補正することが可能な情報読取装置を提供することである。
【００１６】
【課題を解決するための手段】
上記目的を達成するために、本発明の情報処理装置は、原稿載置台上に載置された原稿を原稿読取光学系が走査して該原稿の情報を読み取る第１の原稿読取モードと、自動原稿搬送手段によって原稿を搬送しつつ前記原稿読取光学系が特定位置で停止した状態で搬送原稿の情報を読み取る第２の原稿読取モードと、原稿を読み取る読取ローラ等のバックアップ部材とを有する情報読取装置において、前記第１の原稿読取モードによる原稿読取時における第１のシェーディング補正係数を、前記第２の原稿読取モードによる原稿読み取り時に前記バックアップ部材を読み取った値で補正した値を第２のシェーディング補正係数とし、この第２のシェーディング補正係数を用いて前記第２の原稿読取モードによる原稿読み取り時におけるシェーディング補正処理を行うように制御する制御手段を有することを特徴とする。
【００１７】
【発明の実施の形態】
以下、本発明の各実施の形態について、図面に基づき説明する。
【００１８】
（第１の実施の形態）
まず、本発明の第１の実施の形態を、図１〜図４に基づき説明する。
【００１９】
図１は、本実施の形態に係る画像読取装置（情報読取装置）の構成を示す図であり、この画像読取装置は、原稿読取光学系１０１、画像信号処理系１０２、自動原稿搬送手段１０３及び原稿台ガラス（原稿載置台）１０４を主要構成要素としている。
【００２０】
原稿読取光学系１０１は、各種の原稿を走査して読み取るものであり、画像信号処理系１０２は、画像信号の各種処理を行うものであり、自動原稿搬送手段１０３は、シート状の原稿１０８ａを原稿読取位置へ搬送するものであり、原稿台ガラス１０４は、例えば、書籍等の原稿を載置するものである。
【００２１】
原稿読取光学系１０１は、各種の原稿を照射する露光ランプ１０５と反射ミラー１０６ａ，１０６ｂと結像レンズ１０７とから構成される。露光ランプ１０５と反射ミラー１０６ａ，１０６ｂは、図示しない駆動源により原稿台ガラス１０４に平行に、所定の間（図５に示す位置Ａと位置Ｂとの間に相当する）を往復移動可能に構成されており、原稿台ガラス１０４の上に載置された原稿１０８を光学走査する。また、露光ランプ１０５と反射ミラー１０６ａ，１０６ｂは、図示しない駆動源により図５に示す位置Ｃへも移動可能に構成されている。
【００２２】
画像信号処理系１０２は、光電変換素子１０９とアンプ（ＡＭＰ）１１０とアナログ／デジタル変換器（Ａ／Ｄ変換器）１１１とシェーディング補正回路１１２とシェーディング波形が記憶されるシェーディング波形記憶用のメモリ（第１の補正ＲＡＭ：ランダムアクセスメモリ）１１３と画像処理部１１４と補正信号が記憶される補正用のメモリ（第２の補正ＲＡＭ：ランダムアクセスメモリ）１１５と画像をハードコピーの形で再現する画像形成部１１６と画像信号処理系１０２の動作を制御するＣＰＵ１１７とセンサ駆動回路１１８とタイミング信号発生回路１１９とから構成される。
【００２３】
自動原稿搬送手段１０３は、原稿トレー１２０と原稿挿入口１２１と原稿分離部１２３と原稿搬送用のピンチローラ１２４ａ，１２４ｂと読取ローラ（バックアップ部材）１２５と原稿排出口１２６と排出原稿トレー１２７とから構成される。自動原稿搬送手段１０３において、先端部が原稿挿入口１２１に挿入されて原稿トレー１２０上に載置されたシート状の原稿１０８ａは、原稿分離部１２３のローラによって１枚づつ繰り出され、互いに逆方向に回転するピンチローラ１２４ａ，１２４ｂに挟持されて、搬送原稿読取面１２８（図５の５０４に相当する。）の上部にギャップを有して設けられた読取ローラ（バックアップ部材）１２５へ供給された後、排出原稿トレー１２７の上へ排出される。
【００２４】
原稿台ガラス１０４には、図５と同様に載置原稿読取モード用の基準白色板１２９が貼り付けてある。
【００２５】
次に、上記構成に成る本実施の形態に係る画像読取装置における各読取モードについて説明する。
【００２６】
通常、一回の連続した使用が終了した後、或いは電源投入時には、原稿読取光学系１０１は、図５の位置Ａにある。
【００２７】
［載置原稿読取モード：第１の原稿読取モード］
まず、原稿載置ガラス１０４の上に載置された原稿１０８を読み取るモードである載置原稿読取モード（第１の原稿読取モード）について説明する。
【００２８】
載置原稿読取モードにおいては、従来例と同じく、載置原稿読取モード用の基準白色板１２９からシェーディング波形を読み取ってシェーディング波形記憶用のメモリ１１３にストアした後、原稿読取光学系１０１は位置Ｂへ向けて移動して、原稿台ガラス１０４の上に載置された原稿１０８を走査し、得た画像情報を光電交換素子１０９によって電気信号に変換して、ライン毎の画像情報を読み取る。読み取ったライン毎の画像情報は、シェーディング波形記憶用のメモリ１１３に記憶されたシェーディング波形情報を用いて補正され、画像処理部１１４及び画像形成部１１６で画像形成するのに適した情報に処理される。
【００２９】
［搬送原稿読取モード：第２の原稿読取モード］
次に、自動原稿搬送手段１０３によりシート状の原稿１０８ａを搬送しながら読み取る搬送原稿読取モード（第２の原稿読取モード）について説明する。
【００３０】
搬送原稿読取モードにおいては、図示しない操作パネル上のコピーボタンが押下されると、載置原稿読取モード用の基準白色板１２９からシェーディング波形を読み取ってシェーディング波形記憶用のメモリ１１３にストアした後、読み取り位置を読取ローラ１２５の下に移動し、その位置での画像を読取ローラ１２５が読み取る。このとき、読取ローラ１２５は、所定の速度で回転している。
【００３１】
読取ローラ１２５は、予め基準白色板１２９との濃度比率ｍが測定されて、その測定値は補正用のメモリ１１５に格納されている。この濃度比率ｍを読取ローラ１２５が読み取った画像に乗算することで、該読取ローラ１２５が読み取った画像の白色レベルに対しての補正が行える。
【００３２】
図２の（ａ）は、基準白色板１２９から読み取った画像の波形を、（ｂ）は読取ローラ１２５が読み取った画像の波形をそれぞれ示す。
【００３３】
次に、基準白色板１２９から読み取った画像のシェーディング波形と読取ローラ１４が読み取った画像に濃度比率ｍを乗算した波形との各画素間の差分ｄｎ（ｎ：画素No.）をとる。この差分ｄｎが所定の条件を満たしていれば、シェーディング補正は、基準白色板１２９から読み取ったシェーディング波形を用いて行う。
【００３４】
ここでの所定の条件とは、例えば、差分ｄｎの値がある閾値を超えた画素数が予め決められた値以下の場合である。また、予め決められた値の隣接した画素の差分ｄｎの平均値が予め決められた値以下の場合であっても良い。
【００３５】
図３の（ａ）は、基準白色板１２９からの読み取り画像の波形、（ｂ）は読取ローラ１２５が読み取った画像に濃度比率ｍを乗算した状態の波形、（ｃ）は差分ｄｎの波形をそれぞれ示す。
【００３６】
差分ｄｎが所定の条件を満たしていない場合は、差分ｄｎに透過比率ｋを乗算し、その値を基準白色板１２９から読み取った画像のシェーディング波形に加算し、この波形によりシェーディング補正を行う。透過比率ｋは、読取ローラ１２５の位置において、該読取ローラ１２５に付着した汚れ等が、原稿に使用している用紙を透過して見える度合いで、薄い用紙ほど透過比率ｋは大きくなる。
【００３７】
透過比率ｋは、下記式（１）により求められる。
【００３８】
ｋ＝ａ（用紙のある状態での読取ローラ１２５の値）／（用紙の無い状態での読取ローラ１２５の値）    …    式（１）
但し、ａは比例定数である。
【００３９】
図４（ａ）は、差分ｄｎの波形、（ｂ）は、差分ｄｎと透過比率ｋとを乗算した波形、（ｃ）は、基準白色板１２９から読み取った画像の波形に、差分ｄｎと透過比率ｋとを乗算した波形を加算した波形、（ｄ）はシェーディング補正波形である。
【００４０】
実際には、装置調整時に以下の動作で透過比率ｋを求める。
【００４１】
読取ローラ１２５の位置において、ある濃度の明確なテスト用原稿を読み取らせる。次に、テスト用原稿に通常原稿に使用される白紙の用紙を重ねて読み取らせる。
【００４２】
また、搬送原稿読取モードによる原稿読み取り時に、基準白色板１２９のままのシェーディング波形を用いるか、或いは透過比率ｋを補正したシェーディング波形を用いるかを、ユーザーが選択することもできる。
【００４３】
以上により、搬送原稿読取モードによる原稿読み取り時に、読取ローラ１２５等のバックアップ部材の汚れ等による裏写りを補正することが可能である。
【００４４】
（第２の実施の形態）
次に、本発明の第２の実施の形態を説明する。
【００４５】
透過係数ｋは原稿の用紙種類により変化するため、予め、複数用意しておき、ユーザーが図示しない操作パネル上で切り換えることで、厚さの異なる原稿に対応させることが可能である。
【００４６】
（第３の実施の形態）
次に、本発明の第３の実施の形態を説明する。
【００４７】
上述した第１の実施の形態においては、シェーディング補正動作をコピーボタンの押下後に行われるようにしたが、本発明はこれに限られるものではなく、原稿給送間或いはジョブ終了後にシェーディング補正動作を行うようにしても、同様の効果を得ることが可能である。
【００４８】
（他の実施の形態）
上述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出して実行することによっても、本発明が達成されることは言うまでもない。
【００４９】
この場合、記憶媒体から読み出されたプログラムコード自体が上述した各実施の形態の機能を実現することになり、そのプログラムコードを記憶した記憶媒体は本発明を構成することになる。
【００５０】
また、プログラムコードを供給するための記憶媒体としては、例えば、ＲＡＭ、ＮＶ−ＲＡＭ、フロッピー（登録商標）ディスク、ハードディスク、光ディスク、光磁気ディスク、ＭＯ、ＣＤ−ＲＯＭ、ＣＤ−Ｒ、ＣＤ−ＲＷ、ＤＶＤ（ＤＶＤ−ＲＯＭ、ＤＶＤ−Ｒ、ＤＶＤ−ＲＷ等）、磁気テープ、不揮発性のメモリカード、他のＲＯＭ等の上記プログラムコードを記憶できるものであれば良く、或いはネットワークを介したダウンロード等を用いることができる。
【００５１】
また、コンピュータが読み出したプログラムコードを実行することにより、上述した各実施の形態の機能が実現されるだけでなく、そのプログラムコードの指示に基づき、コンピュータ上で稼動しているＯＳ（オペレーティングシステム）等が実際の処理の一部または全部を行い、その処理によって上述した各実施の形態の機能が実現される場合も含まれることは言うまでもない。
【００５２】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した各実施の形態の機能が実現される場合も含まれることは言うまでもない。
【００５３】
以上では、本発明の様々な例と実施形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない。
【００５４】
本発明の実施態様の例を以下に列挙する。
【００５５】
［実施態様１］  原稿載置台上に載置された原稿を原稿読取光学系が走査して原稿の情報を読み取る第１の原稿読取モードと、原稿搬送手段によって原稿を搬送しつつ前記原稿読取光学系が特定位置で停止した状態で搬送原稿の情報を読み取る第２の原稿読取モードと、原稿を読み取る読取ローラ等のバックアップ部材とを有する情報読取装置において、
前記第１の原稿読取モードによる原稿読み取り時における第１のシェーディング補正係数を、前記第２の原稿読取モードによる原稿読み取り時に前記バックアップ部材を読み取った値で補正した値を第２のシェーディング補正係数とし、この第２のシェーディング補正係数を用いて前記第２の原稿読取モードによる原稿読み取り時におけるシェーディング補正処理を行うように制御する制御手段を有することを特徴とする情報読取装置。
【００５６】
［実施態様２］  前記第２の原稿読取モードによる原稿読み取り時には、前記第１のシェーディング補正係数と前記第２のシェーディング補正係数のどちらを使用するかを選択する選択手段を有することを特徴とする実施態様１記載の情報読取装置。
【００５７】
［実施態様３］  原稿載置台上に載置された原稿を原稿読取光学系が走査して原稿の情報を読み取る第１の原稿読取モードと、原稿搬送手段によって原稿を搬送しつつ前記原稿読取光学系が特定位置で停止した状態で搬送原稿の情報を読み取る第２の原稿読取モードと、原稿を読み取る読取ローラ等のバックアップ部材とを有する情報読取装置により情報を読み取る情報読取方法において、
前記第１の原稿読取モードによる原稿読み取り時における第１のシェーディング補正係数を、前記第２の原稿読取モードによる原稿読み取り時に前記バックアップ部材を読み取った値で補正した値を第２のシェーディング補正係数とし、この第２のシェーディング補正係数を用いて前記第２の原稿読取モードによる原稿読み取り時におけるシェーディング補正処理を行うように制御する制御工程を有することを特徴とする情報読取方法。
【００５８】
［実施態様４］  前記第２の原稿読取モードによる原稿読み取り時には、前記第１のシェーディング補正係数と前記第２のシェーディング補正係数のどちらを使用するかを選択する選択工程を有することを特徴とする実施態様３に記載の情報読取方法。
【００５９】
【発明の効果】
以上説明したように、本発明によれば、自動原稿搬送手段により搬送された搬送原稿の読み取り時に、バックアップ部材（読取ローラ等）の汚れ等の裏写りを補正することが可能である。
【図面の簡単な説明】
【図１】本発明の一実施の形態に係る情報読取装置のシステム構成を示すブロック図である。
【図２】本発明の一実施の形態に係る情報読取装置における基準白色板から読み取った画像の波形と読取ローラが読み取った画像の波形を示す図である。
【図３】本発明の一実施の形態に係る情報読取装置における基準白色板から読み取った画像の波形と読取ローラが読み取った画像に差分ｄｎを乗算した波形と差分ｄｎの波形をそれぞれ示す図である。
【図４】本発明の一実施の形態に係る情報読取装置における差分ｄｎの波形、透過比率ｋの波形、差分ｄｎ×（基準白色板からの読取画像）＋（差分ｄｎ×透過比率ｋ）の波形及びシェーディング補正波形をそれぞれ示す図である。
【図５】従来の原稿台ガラスの平面図である。
【符号の説明】
１０１      原稿読取光学系
１０２      画像信号処理系
１０３      自動原稿搬送手段
１０４      原稿台ガラス（原稿載置台）
１０５      露光ランプ
１０６ａ    反射ミラー
１０６ｂ    反射ミラー
１０７      結像レンズ
１０８      書籍等の原稿
１０８ａ    シート状の原稿
１０９      光電変換素子
１１０      アンプ（ＡＭＰ）
１１１      アナログ／デジタル変換器（Ａ／Ｄ変換器）
１１２      シェーディング補正回路
１１３      シェーディング波形記憶用のメモリ（第１の補正ＲＡＭ：ランダムアクセスメモリ）
１１４      画像処理部
１１５      補正信号が記憶される補正用のメモリ（第２の補正ＲＡＭ：ランダムアクセスメモリ）
１１６      画像形成部
１１７      ＣＰＵ（中央演算処理装置）
１１８      センサ駆動回路
１１９      タイミング信号発生回路
１２０      原稿トレー
１２１      原稿挿入口
１２３      原稿分離部
１２４ａ    原稿搬送用のピンチローラ
１２４ｂ    原稿搬送用のピンチローラ
１２５      読取ローラ（バックアップ部材）
１２６      原稿排出口
１２７      排出原稿トレー
１２８      搬送原稿読取面
１２９      載置原稿読取モード用の基準白色板
【図１】
2004208061.tif 000003
【図２】
2004208061.tif 000004
【図３】
2004208061.tif 000005
【図４】
2004208061.tif 000006
【図５】
2004208061.tif 000007